【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
第1の最小ランレングスを持つマークのシーケンス及び第2の最小ランレングスを持つスペースのシーケンスを有するバイナリデータを記録媒体に記録する方法において、前記第1の及び第2の最小ランレングスが異なって設定される方法。
【請求項２】
請求項1に記載の方法において、第1の最小ランレングスを持つマークの前記シーケンス及び第2の最小ランレングスを持つスペースの前記シーケンスについて更に最大ランレングス制約が設定される方法。
【請求項３】
記録媒体に提供された第1の最小ランレングスを持つマークのシーケンス及び第2の最小ランレングスを持つスペースのシーケンスを有するバイナリデータを読み出す方法において、前記第1の及び第2の最小ランレングスが異なって設定され、前記異なった第1の及び第2の最小ランレングスが、前記読出しに基づいて決定される、方法。
【請求項４】
請求項3に記載の方法において、第1の最小ランレングスを持つマークの前記シーケンス及び第2の最小ランレングスを持つスペースの前記シーケンスについて更に最大ランレングス制約が決定される方法。
【請求項５】
請求項1乃至4の何れか1項に記載の方法において、マークのシーケンス中のマーク及び／又はスペースのシーケンス中のスペースは所定の継続時間を有する、方法。
【請求項６】
請求項1乃至5の何れか1項に記載の方法において、マークのシーケンス中のマークは前記記録媒体の第1の所定の物理状態から構成され、スペースのシーケンス中のスペースは前記記録媒体の第2の所定の物理状態から構成されるか、又は、マークのシーケンス中のマークは前記記録媒体の第1の所定の物理状態を持つサブマーク領域と第2の所定の物理状態を持つ非マーク領域とから構成され、スペースのシーケンス中のスペースは前記記録媒体の前記第2の所定の物理状態から構成される、方法。
【請求項７】
請求項5又は6に記載の方法において、前記第1の最小ランレングスは、最小の1個のマークに対応し、前記第2の最小ランレングスは、最小の2n+1個のスペースに対応し、ここでnはゼロより大きな整数である、方法。
【請求項８】
請求項７に記載の方法において、外部読出し場のタイミングは、前記記録媒体の前記サブマーク領域の最短継続時間の中心と同期する、方法。
【請求項９】
請求項5又は6に記載の方法において、前記第1の最小ランレングスは、最小の1個のマークに対応し、前記第2の最小ランレングスは、最小の2n個のスペースに対応し、ここでnはゼロより大きな整数である、方法。
【請求項１０】
請求項9に記載の方法において、外部読出し場のタイミングは、前記非マーク領域の最短継続時間の中心と同期する、方法。
【請求項１１】
請求項3乃至10の何れか1項に記載の方法において、前記第1の及び第2の最小ランレングスの値は、所定の試験読出しの結果に従って、前記記録媒体に記憶される前記データの読出し時に設定される、方法。
【請求項１２】
請求項11に記載の方法において、前記試験読出しは、前記記録媒体上の所定の試験領域及び／又は前記ユーザデータのランレングス違反検査の読出しである、方法。
【請求項１３】
請求項1乃至12の何れか1項に記載の方法において、前記記録媒体は光磁気媒体である、方法。
【請求項１４】
請求項13に記載の方法において、読出しのために領域拡大技術が用いられる方法。
【請求項１５】
請求項14に記載の方法において、前記領域拡大技術はMAMMOS技術である、方法。
【請求項１６】
請求項8又は10に記載の方法において、前記外部読出し場は磁場である、方法。
【請求項１７】
第1の最小ランレングスを持つマークのシーケンス及び第2の最小ランレングスを持つスペースのシーケンスを有するバイナリデータを記録媒体に記録する装置において、前記符合化されたバイナリデータを表す前記それぞれのマークのシーケンス及びスペースのシーケンスに非対称最小ランレングス制約を用いて前記データを符合化するための符号化手段を有する装置。
【請求項１８】
請求項17に記載の装置において、マークの前記シーケンス及びスペースの前記シーケンスについて更に最大ランレングス制約が用いられる装置。
【請求項１９】
バイナリデータを記録媒体に提供された第1の最小ランレングスを持つマークのシーケンス及び第2の最小ランレングスを持つスペースのシーケンスとして読み出すための装置において、前記第1の及び第2の最小ランレングスは異なって設定され、当該装置は前記データを復号するための復号化手段を有し、前記それぞれのパターンの異なった第1の及び第2の最小ランレングスは、前記読出しに基づいて決定される、装置。
【請求項２０】
請求項19に記載の装置において、第1の最小ランレングスを持つマークの前記シーケンス及び第2の最小ランレングスを持つスペースの前記シーケンスについて更に最大ランレングス制約が決定される装置。
【請求項２１】
請求項17乃至20の何れか1項に記載の装置において、マークのシーケンス中のマークは前記記録媒体の第1の所定の物理状態から構成され、スペースのシーケンス中のスペースは前記記録媒体の第2の所定の物理状態から構成されるか、又は、マークのシーケンス中のマークは前記記録媒体の第1の所定の物理状態を持つサブマーク領域と第2の所定の物理状態を持つ非マーク領域とから構成され、スペースのシーケンス中のスペースは前記記録媒体の前記第2の所定の物理状態から構成される、装置。
【請求項２２】
請求項17乃至21の何れか1項に記載の装置において、領域拡大技術によって読み出されるべき光磁気ディスクのためのディスクプレーヤである装置。
【請求項２３】
請求項22に記載の装置において、前記領域拡大技術はMAMMOS技術である、装置。
【請求項２４】
第1の最小ランレングスを持つマークのシーケンス及び第2の最小ランレングスを持つスペースのシーケンスを有するバイナリデータが記録トラックに記録される記録媒体において、前記バイナリデータは、前記それぞれの第1の及び第2のパターンについて非対称最小ランレングスを持って記録される、記録媒体。
【請求項２５】
請求項24に記載の記録媒体において、第1の最小ランレングスを持つマークの前記シーケンス及び第2の最小ランレングスを持つスペースの前記シーケンスについて更に最大ランレングス制約が用いられる記録媒体。
【請求項２６】
請求項24又は25に記載の記録媒体において、マークのシーケンス中のマークは前記記録媒体の第1の所定の物理状態から構成され、スペースのシーケンス中のスペースは前記記録媒体の第2の所定の物理状態から構成されるか、又は、マークのシーケンス中のマークは前記記録媒体の第1の所定の物理状態を持つサブマーク領域と第2の所定の物理状態を持つ非マーク領域とから構成され、スペースのシーケンス中のスペースは前記記録媒体の前記第2の所定の物理状態から構成される、記録媒体。
【請求項２７】
請求項24乃至26の何れか1項に記載の記録媒体において、前記第1の最小ランレングスは、最小の1個のマークに対応し、前記第2の最小ランレングスは、最小の2n+1個のスペースに対応し、ここでnはゼロより大きな整数である、記録媒体。
【請求項２８】
請求項24乃至26の何れか1項に記載の記録媒体において、前記第1の最小ランレングスは、最小の1個のマークに対応し、前記第2の最小ランレングスは、最小の2n個のスペースに対応し、ここでnはゼロより大きな整数である、記録媒体。
【請求項２９】
請求項24乃至28の何れか1項に記載の記録媒体において、光磁気ディスクである記録媒体。
【請求項３０】
請求項29に記載の記録媒体において、前記光磁気ディスクはMAMMOSディスクである、記録媒体。